(57)【要約】【課題】表示及びタッチモードの両方に対して構成可能なデータ線を備えたピクセルを有するディスプレイを提供する。【解決手段】表示及びタッチモードの間で構成可能なデータ線を有するディスプレイ。ディスプレイは、タッチモード中にディスプレイ上のタッチ又は殆どタッチを感知する感知領域を有する。この領域は、表示モード中にディスプレイ上にグラフィック又はデータを表示する。表示モード中は、感知領域のデータ線は、表示回路にデータ信号を受信するために結合するように構成される。タッチモード中は、感知領域のデータ線は、その領域の対応する感知線に結合するように構成され、これは、次に、タッチ回路にタッチ又は殆どタッチを感知するためのタッチ信号を送信するために結合される。代替的に、タッチモード中は、感知領域のデータ線は、残りのデータ信号を廃棄のために接地に伝送するために接地に結合するように構成される。【選択図】図１
2010186182.tif 000002
【特許請求の範囲】
【請求項１】
表示モードとタッチモードの間で切換可能な表示装置であって、
表示データ信号を伝送するように構成されたデータ線とタッチ信号を伝送するように構成された感知線とを有する表示ピクセルと、
表示モードに関連する第１の構成とタッチモードに関連する第２の構成との間で前記データ線を切り換えるように構成されたスイッチと、
を含むことを特徴とする装置。
【請求項２】
前記第１の構成は、装置上にグラフィック又はデータを表示するために前記伝送された表示データ信号を送信するための装置の表示回路に結合された前記データ線を含むことを特徴とする請求項１に記載の装置。
【請求項３】
前記第２の構成は、装置上のタッチ又は殆どタッチを感知するために前記伝送されたタッチ信号及び前記伝送された表示データ信号を受信するためのタッチ回路に結合された前記感知線に結合された前記データを含むことを特徴とする請求項１に記載の装置。
【請求項４】
前記第２の構成は、前記表示データ信号を廃棄するために前記伝送された表示データ信号を受信するための接地に結合された前記データ線を含むことを特徴とする請求項１に記載の装置。
【請求項５】
前記第２の構成は、装置上のタッチ又は殆どタッチを感知するために前記伝送されたタッチ信号を受信するためのタッチ回路に結合された前記感知線を含むことを特徴とする請求項４に記載の装置。
【請求項６】
装置上のタッチ又は殆どタッチを感知するために前記タッチモード中に前記少なくとも１つの感知線から前記タッチ信号及び前記少なくとも１つのデータ線から残りのデータ信号を受信するように構成されたタッチ回路、
を含むことを特徴とする請求項１に記載の装置。
【請求項７】
装置上にグラフィック又はデータを表示するために前記表示モード中に前記データ線に前記表示データ信号を送信するように構成された表示回路、
を含むことを特徴とする請求項１に記載の装置。
【請求項８】
前記スイッチは、更に、前記第１の構成と前記第２の構成の間で前記感知線を切り換えるように構成されることを特徴とする請求項１に記載の装置。
【請求項９】
携帯電話、デジタルメディアプレーヤ、又はパーソナルコンピュータのうちの少なくとも１つに組み込まれることを特徴とする請求項１に記載の装置。
【請求項１０】
表示モードとタッチモードを有する表示装置であって、
データ線と感知線とを有する表示ピクセル、
を含み、
前記データ線は、該データ線によって作り出される寄生キャパシタンスを低減するためにタッチモード中に前記感知線に結合するように構成される、
ことを特徴とする装置。
【請求項１１】
前記タッチモード中に前記データ線を前記感知線に結合するように構成されたスイッチ、
を含むことを特徴とする請求項１０に記載の装置。
【請求項１２】
前記スイッチは、表示モード中に前記データ線を前記感知線から切り離すように構成されることを特徴とする請求項１１に記載の装置。
【請求項１３】
表示モード中に前記データ線を表示回路に結合するように構成されたスイッチ、
を含むことを特徴とする請求項１０に記載の装置。
【請求項１４】
前記スイッチは、前記タッチモード中に前記データ線を前記表示回路から切り離すように構成されることを特徴とする請求項１３に記載の装置。
【請求項１５】
表示モードとタッチモードを有する表示装置であって、
データ線と感知線を有するピクセル、
を含み、
前記データ線は、該データ線によって作り出される寄生キャパシタンスを低減するためにタッチモード中に接地に結合するように構成される、
ことを特徴とする装置。
【請求項１６】
前記データ線から表示データ信号を廃棄するために前記タッチモード中に該データ線を接地に結合するように構成されたスイッチ、
を含むことを特徴とする請求項１５に記載の装置。
【請求項１７】
表示モード中に表示回路に前記データ線を結合するように構成されたスイッチ、
を含み、
前記表示回路は、表示データ信号に基づいて前記結合されたデータ線に表示データを送信するように構成される、
ことを特徴とする請求項１５に記載の装置。
【請求項１８】
前記感知線は、前記タッチモード中にタッチ回路に結合され、
前記タッチ回路は、前記結合された感知線から受信したタッチ信号に基づいてタッチを感知するように構成される、
ことを特徴とする請求項１５に記載の装置。
【請求項１９】
表示モードとタッチモードを有する表示装置を構成する方法であって、
タッチモードに対して、表示装置のピクセルのデータ線を該装置の該ピクセルの感知線、又は該データ線によって作り出される寄生キャパシタンスを低減するために接地のいずれかに結合するように切り換える段階、
を含むことを特徴とする方法。
【請求項２０】
表示モードに対して、前記装置の表示回路に結合するように前記データ線を切り換える段階、
を含むことを特徴とする請求項１９に記載の方法。
【請求項２１】
前記感知線に結合する前記データ線を含む前記タッチモードに対して、該感知線からの第１の信号を該データ線からの第２の信号と共にタッチ回路に伝送して前記表示装置上のタッチ又は殆どタッチを感知する段階、
を含むことを特徴とする請求項１９に記載の方法。
【請求項２２】
接地に結合する前記データ線を含む前記タッチモードに対して、該データ線からの第１の信号を接地に、かつ前記感知線からの第２の信号を前記装置のタッチ回路に伝送して該装置上のタッチ又は殆どタッチを感知する段階、
を含むことを特徴とする請求項１９に記載の方法。
【請求項２３】
表示モードとタッチモードの間で表示装置を切り換える方法であって、
モード信号が表示装置に対する表示モード又はタッチモードに関連しているか否かを判断する段階と、
前記判断されたモード信号が前記表示モードに関連する場合、前記表示装置のピクセルのデータ線を該表示装置の表示回路に結合するように切り換える段階と、
前記判断されたモード信号が前記タッチモードに関連する場合、前記表示装置の前記ピクセルの前記データ線を該表示装置の前記表示回路から切り離すように切り換える段階と、
を含むことを特徴とする方法。
【請求項２４】
前記タッチモード中に、前記表示回路から切り離された前記データ線を前記表示装置の前記ピクセルの感知線と結合するように切り換える段階、
を含むことを特徴とする請求項２３に記載の方法。
【請求項２５】
前記タッチモード中に、前記表示回路から切り離された前記データ線を接地に結合するように切り換える段階、
を含むことを特徴とする請求項２３に記載の方法。
【発明の詳細な説明】
【技術分野】
【０００１】
本発明は、表示モード及びタッチモードの両方のためのピクセルを有するディスプレイに関し、より詳細には、表示モード及びタッチモードの両方に対して構成可能なデータ線を備えたピクセルを有するディスプレイに関する。
【背景技術】
【０００２】
コンピュータシステムで操作を実施するために、ボタン又はキー、マウス、トラックボール、タッチセンサパネル、ジョイスティック、タッチパッド、及びタッチ画面などのような多くの種類の入力装置が利用可能である。特に、タッチ画面は、価格の低下と共にその操作の容易性と多様性のために益々一般的になっている。タッチ画面は、タッチ感応面を有する透明パネルとすることができるタッチセンサパネルと、タッチ感応面が表示装置の可視領域を実質的に覆うことができるようにパネルの背後に位置決めすることができる液晶ディスプレイ（ＬＣＤ）のような表示装置とを含むことができる。タッチ画面は、一般的に、表示装置によって表示されている仮想のボタン、キー、バー、表示、及び他の要素を含むユーザインタフェース（ＵＩ）が指示した位置で１つ又はそれよりも多くの指、スタイラス、又は他の物体を使用してタッチセンサパネルをタッチ又は殆どタッチすることにより、ユーザに様々な機能を実行させることができる。一般的に、タッチセンサは、タッチセンサパネル上のタッチイベント及びタッチイベントの位置を認識することができ、コンピュータシステムは、次に、タッチイベント時に現れる表示に従ってタッチイベントを解釈し、その後、タッチイベントに基づいて１つ又はそれよりも多くのアクションを実行することができる。
【０００３】
典型的なタッチ画面は、表示装置の上に重なるタッチセンサパネルを有するので、タッチ画面は、より重く、より厚く、かつより薄暗くなる可能性がある。タッチセンサパネルが表示装置と一体化されて表示及びタッチ機能の両方を提供するより軽く、より薄く、かつより明るいタッチ画面が開発されている。そのようなタッチ画面は、「タッチ画面液晶ディスプレイ」という名称の米国特許出願第１１／７６０、０８０号、及び「二重機能容量素子を有するディスプレイ」という名称の米国特許出願第１２／２４０、９６４号に説明されている。
【先行技術文献】
【特許文献】
【０００４】
【特許文献１】米国特許出願第１１／７６０、０８０号
【特許文献２】米国特許出願第１２／２４０、９６４号
【発明の概要】
【発明が解決しようとする課題】
【０００５】
しかし、タッチ画面の二重機能の理由により、表示回路からの干渉、例えば寄生キャパシタンスのためにタッチ機能を実行している時に画面上のタッチを有効に検出することが困難になる可能性がある。この困難を克服することができるよりロバストなタッチ信号をもたらすためには、より多くの経費と電力を必要とする可能性があるであろう。
【課題を解決するための手段】
【０００６】
本発明は、ディスプレイモード及びタッチモードを有し、ディスプレイの感知領域のデータ線を各モードで別々に構成することができるディスプレイに関連している。一部の実施形態では、表示モード中に、ディスプレイのピクセル内の１つ又はそれよりも多くのデータ線は、データ線に沿って伝達されるデータ信号に基づいてグラフィック又はデータを表示するための表示回路に結合するように構成することができる。
【０００７】
一部の実施形態では、タッチモード中に、ディスプレイの感知領域のピクセル内の１つ又はそれよりも多くのデータ線は、感知線から伝達されるタッチ信号に基づいてタッチ又は殆どタッチを感知するためにタッチ回路に結合されたピクセル内の感知線に結合するように構成することができる。一部の他の実施形態では、タッチモード中に、ディスプレイの感知領域のピクセル内の１つ又はそれよりも多くのデータ線は、接地に結合するように構成することができる。
タッチモード中のデータ線のこの構成は、タッチモード中のデータ線に関連する寄生キャパシタンスを有利に低減し、それによってディスプレイの有効性を改善し、かつその経費及び電力要件を低減することができる。
【図面の簡単な説明】
【０００８】
【図１】様々な実施形態によるモードに基づいてピクセルの１つ又はそれよりも多くのデータ線を構成することができる表示モード及びタッチモードを有するＬＣＤ内の例示的ピクセルの部分回路図を示す図である。
【図２】様々な実施形態によりＬＣＤ内のピクセルの群によってタッチ領域を形成することができる表示モード及びタッチモードを有する例示的ＬＣＤを示す図である。
【図３】様々な実施形態によりタッチモード中にピクセルの感知線と結合するようにピクセルの１つ又はそれよりも多くのデータ線を構成することができる表示モード及びタッチモードを有するＬＣＤ内の例示的ピクセルの部分回路図を示す図である。
【図４】様々な実施形態によりタッチモード中にピクセルの感知線と結合するようにピクセルの１つ又はそれよりも多くのデータ線を構成することができる表示モード及びタッチモードを有するＬＣＤ内の例示的ピクセルの別の部分回路図を示す図である。
【図５】様々な実施形態によりタッチモード中にピクセルの感知線と結合するようにピクセルの１つ又はそれよりも多くのデータ線を構成することができる表示モード及びタッチモードを有するＬＣＤ内の例示的ピクセルの別の部分回路図を示す図である。
【図６】様々な実施形態によりタッチモード中に接地に結合するようにピクセルの１つ又はそれよりも多くのデータ線を構成することができる表示モード及びタッチモードを有するＬＣＤ内の例示的ピクセルの部分回路図を示す図である。
【図７】様々な実施形態によりタッチモード中に接地に結合するようにピクセルの１つ又はそれよりも多くのデータ線を構成することができる表示モード及びタッチモードを有するＬＣＤ内の例示的ピクセルの別の部分回路図を示す図である。
【図８】様々な実施形態により表示モード及びタッチモードを有するＬＣＤの１つ又はそれよりも多くのデータ線をタッチモード中にＬＣＤの感知線に結合するように構成する例示的方法を示す図である。
【図９】様々な実施形態により表示モード及びタッチモードを有するＬＣＤの１つ又はそれよりも多くのデータ線をタッチモード中に接地に結合するように構成する別の例示的方法を示す図である。
【図１０】様々な実施形態による表示モード及びタッチモードを備えたＬＣＤを有する例示的コンピュータシステムを示す図である。
【図１１ａ】様々な実施形態による表示モード及びタッチモードを備えたＬＣＤを有する例示的携帯電話を示す図である。
【図１１ｂ】様々な実施形態による表示モード及びタッチモードを備えたＬＣＤを有する例示的デジタルメディアプレーヤを示す図である。
【図１１ｃ】様々な実施形態による表示モード及びタッチモードを備えたＬＣＤを有する例示的パーソナルコンピュータを示す図である。
【発明を実施するための形態】
【０００９】
様々な実施形態の以下の説明では、実施可能な例示的な特定的実施形態として示す添付図面を参照する。この実施形態の精神から逸脱することなく他の実施形態が使用されて構造的変更を行うことができることは理解されるものとする。
本発明は、ディスプレイの感知領域内のデータ線を各モードで別々に構成することができる表示モード及びタッチモードを有するＬＣＤに関連する。一部の実施形態では、表示モード中に、データ線に沿って伝達されたデータ信号に基づいてグラフィック及びデータを表示するために、ＬＣＤのピクセル内の１つ又はそれよりも多くのデータ線は、表示回路に結合するように構成することができる。一部の実施形態では、タッチモード中に、ＬＣＤの感知領域内のピクセル内の１つ又はそれよりも多くのデータ線は、感知線から伝達されたタッチ信号に基づいてタッチを感知するためにタッチ回路に結合されたピクセル内の感知線に結合するように構成することができる。一部の実施形態では、タッチモード中に、ＬＣＤの感知領域内のピクセル内の１つ又はそれよりも多くのデータ線は、接地に結合するように構成することができる。
タッチモード時のデータ線の構成は、タッチモード中にデータ線に関連する寄生キャパシタンスを有利に低減し、それによってＬＣＤの有効性を改善し、かつ経費及び電力要件を低減する。
【００１０】
用語「駆動線」、「水平共通電圧線」、及び「ｘＶｃｏｍ」は、ＬＣＤの水平導電線を指すことができる。多くの場合、必ずとは限らないが、用語「駆動線」は、この線がディスプレイの駆動領域を駆動する刺激信号を伝達することができるという理由で、ＬＣＤがタッチモードにある時の駆動領域内のこれらの導電線を指す時に使用することができる。
用語「感知線」、「垂直共通電圧線」、及び「ｙＶｃｏｍ」は、ＬＣＤの垂直導電線を指すことができる。多くの場合、必ずとは限らないが、用語「感知線」は、この線がディスプレイ上でタッチ又は殆どタッチするタッチ信号を伝達することができるという理由で、ＬＣＤがタッチモードにある時に駆動領域内のこれらの導電線を指す時に使用することができる。
【００１１】
用語「サブピクセル」は、ＬＣＤの赤、緑、又は青の表示構成要素を指す一方、用語「ピクセル」は、赤、緑、又は青のサブピクセルの組合せを指すことができる。
一部の実施形態は、本明細書ではＬＣＤに関連して説明するが、実施形態は、そのように限定されるものではなく、様々な実施形態による表示及びタッチ機能を利用してあらゆる装置に一般的に適用可能であることを理解すべきである。
【００１２】
図１は、ピクセルの１つ又はそれよりも多くのデータ線を様々な実施形態によるモードに基づいて構成することができる表示モード及びタッチモードを有するＬＣＤの例示的ピクセルの部分回路図を示している。図１の例では、ＬＣＤ１００は、様々な実施形態によるＬＣＤサブピクセルを含むことができる。ＬＣＤ１００のサブピクセルは、ＬＣＤサブピクセル及びタッチセンサ要素の両方として二重機能が可能であるように構成することができる。換言すれば、サブピクセルは、ピクセルのＬＣＤ回路の部分として作動し、同時にタッチ感知回路の要素としても作動する容量性要素、電極のような回路要素を含むことができる。このようにして、ＬＣＤ１００は、一体化されたタッチ感知機能を含むＬＣＤとして作動させることができる。図１は、ＬＣＤ１００のサブピクセル１０１、１０２、１０３、及び１０４の詳細を示している。各サブピクセルは、単一色ピクセルを形成する全部で３つのＲ、Ｇ、及びＢのサブピクセルの組合せにより赤（Ｒ）、緑（Ｇ）、又は青（Ｂ）を表示することができる。
【００１３】
サブピクセル１０２は、ゲート１５５ａ、ソース１５５ｂ、及びドレーン１５５ｃを含む薄膜トランジスタ（ＴＦＴ）１５５を含むことができる。サブピクセル１０２はまた、上部電極１５７ａと下部電極１５７ｂとを含むストレージコンデンサＣｓｔ１５７、サブピクセル電極１５９ａと共通電極１５９ｂとを含む液晶コンデンサＣ１ｃ１５９、及びカラーフィルタ電圧源Ｖｃｆを含むことができる。サブピクセルが面内スイッチング（ＩＰＳ）装置の場合、Ｖｃｆは、例えば、Ｃｓｔ１５７と並列に共通電圧線に接続したフリンジ電界電極とすることができる。サブピクセルがＩＰＳを利用しない場合、Ｖｃｆ１５１は、例えば、カラーフィルタガラス上のインジウムスズ化合物（ＩＴ０）層とすることができる。サブピクセル１０２はまた、緑（Ｇ）色データのデータ線であるＧデータ線１１７の一部分１１７ａと、ゲート線１１３の一部分１１３ｂとを含むことができる。ゲート線１５５ａは、ゲート線部分１１３ｂに接続し、ソース１５５ｂは、Ｇデータ線部分１１７ａに接続することができる。Ｃｓｔ１５７の上部電極１５７ａは、ＴＦＴ１５５のドレーン１５５ｃに接続し、Ｃｓｔ１５７の下部電極１５７ｂは、ｘ方向に延びる共通電圧線であるｘＶｃｏｍ１２１の一部分１２１ｂに接続することができる。Ｃ１ｃ１５９のサブピクセル電極１５９ａはまた、ＴＦＴ１５５のドレーン１５５ｃに接続し、Ｃ１ｃ１５９の共通電極１５９ｂは、Ｖｃｆ１５１に接続することができる。
【００１４】
サブピクセル１０３の回路図は、サブピクセル１０２のものと同一とすることができる。しかし、図１に示すように、サブピクセル１０３を通って延びる色データ線１１９は、青（Ｂ）色データを搬送することができる。サブピクセル１０２及び１０３は、例えば、公知のＬＣＤサブピクセルとすることができる。
サブピクセル１０２及び１０３と同様に、サブピクセル１０１は、ゲート１０５ａ、ソース１０５ｂ、及びドレーン１０５ｃを含む薄膜トランジスタ（ＴＦＴ）１０５を含むことができる。サブピクセル１０１はまた、上部電極１０７ａ及び下部電極１０７ｂを含むストレージコンデンサＣｓｔ１０７、サブピクセル電極１０９ａ及び共通電極１０９ｂを含む液晶コンデンサＣ１ｃ１０９、及びカラーフィルタ電圧源Ｖｃｆ１１１を含むことができる。サブピクセル１０１はまた、赤（Ｒ）色データのデータ線、Ｒデータ線１１５の一部分１１５ａ、及びゲート線１１３の一部分１１３ａを含むことができる。ゲート１０５ａは、ゲート線部分１１３ａに接続し、ソース１０５ｂは、Ｒデータ線部分１１５ａに接続することができる。Ｃｓｔ１０７の上部電極１０７ａは、ＴＦＴ１０５のドレーン１０５ｃに接続し、Ｃｓｔ１０７の下部電極１０７ｂは、ｘＶｃｏｍ１２１の一部分１２１ａに接続することができる。Ｃ１ｃ１０９のサブピクセル電極１０９ａは、ＴＦＴ１０５のドレーン１０５ｃに接続し、Ｃ１ｃ１０９の共通電極１０９ｂは、Ｖｃｆ１１１に接続することができる。
【００１５】
サブピクセル１０２及び１０３と異なり、サブピクセル１０１はまた、ｙ方向に延びる共通電圧線であるｙＶｃｏｍ１２３の一部分１２３ａを含むことができる。更に、サブピクセル１０１は、部分１２１ａを部分１２３ａに接続する接続部１２７を含むことができる。このようにして、接続部１２７は、ｘＶｃｏｍ１２１とｙＶｃｏｍ１２３とを接続することができる。
サブピクセル１０４（図１に部分的にのみ示した）は、ｙＶｃｏｍ１２５の一部分１２５ａが断続部（開放部）１３１を有してｘＶｃｏｍ１２１の一部分１２１ｂが断続部１３３を有することを除いて、サブピクセル１０１と類似とすることができる。
【００１６】
図１に見ることができるように、サブピクセル１０１、１０２、及び１０３のストレージコンデンサの下部電極は、ｘＶｃｏｍ１２１によって互いに接続することができる。これは、例えば、公知のＬＣＤパネルでの接続の形式とし、公知のゲート線、データ線、及びトランジスタと共に使用される時に、サブピクセルをアドレス指定することが可能になる。以下でより詳細に説明するように、水平共通電圧線への接続に加えて、垂直共通電圧線の追加により、サブピクセルのｘ及びｙ両方向へのグループ分けが可能になる。例えば、ｙＶｃｏｍ１２３及びｘＶｃｏｍ１２１に対する接続部１２７により、サブピクセル１０１、１０２、及び１０３のストレージコンデンサと、サブピクセル１０１、１０２、及び１０３の上方及び下方にあるサブピクセルのストレージコンデンサとの接続が可能になる（上方及び下方にあるサブピクセルは、示していない）。例えば、サブピクセル１０１、１０２、及び１０３のすぐ上方にあるサブピクセルの各々は、１０１、１０２、及び１０３と同一構成を有することができる。この場合、サブピクセル１０１、１０２、及び１０３のすぐ上方にあるサブピクセルのストレージコンデンサは、サブピクセル１０１、１０２、及び１０３のストレージコンデンサに接続されると考えられる。
【００１７】
一般的に、ＬＣＤは、パネル内の全てのサブピクセルのストレージコンデンサが、例えば、水平共通電圧線に対する接続部を用いて少なくとも１つの垂直電圧線を通じて接続することができるように構成することができる。別のＬＣＤは、異なる群のサブピクセルが互いに接続され、互いに接続したストレージコンデンサの別々の領域を形成するように構成することができる。
別々の領域を作成する１つの方法は、水平及び／又は垂直共通線に断続部（開放部）を形成することによって行うことができる。例えば、ＬＣＤ１００のｙＶｃｏｍ１２５は、断続部１３１を有し、断続部の上方にあるサブピクセルを断続部の下方にあるピクセルから隔離することができる。同様に、ｘＶｃｏｍ１２１は、断続部１３３を有し、断続部の右方にあるサブピクセルを断続部の左方にあるピクセルから隔離することができる。
ＬＣＤのタッチ領域は、刺激信号を駆動するための駆動領域を形成するように、かつタッチモード中に指のような物体のタッチ及び殆どタッチを感知するための感知信号を形成するように互いに電気接続したピクセルの群（図１に示すように各ピクセルが赤、緑、及び青のサブピクセルを含む）によって形成することができる。
【００１８】
図２は、タッチ領域を様々な実施形態によりＬＣＤ内のピクセルの群によって形成することができる表示モード及びタッチモードを有する例示的ＬＣＤを示している。図２の例では、ＬＣＤ２００は、駆動領域２１０及び感知領域２２０を含むタッチ領域を有することができる。駆動領域２１０及び感知領域２２０は、表示モードでグラフィック及びデータを表示してタッチモードでタッチ又は殆どタッチを感知するピクセル２０３の群を含むことができる。簡単にするために、各ピクセル２０３は、垂直共有電圧線ｙＶｃｏｍ２０２と水平共通電圧線ｘＶｃｏｍ２０１とを含む単一のブロックとして示され、各単一ピクセルブロックは、図１に示すようにそれぞれデータ線を有する赤、緑、及び青のサブピクセル群を表示することができる。
【００１９】
駆動領域２１０は、ピクセル２０３の少なくとも１つの垂直共通電圧線ｙＶｃｏｍ２０２をピクセルの少なくとも１つの水平共通電圧線ｘＶｃｏｍ２０１に接続し、それによってピクセルの行を含む駆動領域を形成することによって形成することができる。駆動プレート（例えば、ＩＴ０プレート）は、ピクセルを互いにグループ分けしてタッチモードのための駆動領域を形成するように、駆動領域を覆って垂直及び水平共通電圧線に接続するのに使用することができる。一般的に、駆動領域は、例えば、ＬＣＤのタッチ又は殆どタッチを有効に受信するために、単一行のピクセルよりも大きく、指先のサイズに類似にすることができる。例えば、駆動領域は、垂直共通電圧線ｙＶｃｏｍを水平共通電圧線ｘＶｃｏｍに接続し、それによってピクセルのマトリックスを含む駆動領域を形成することによって形成することができる。一部の実施形態では、互いに近い駆動領域は、駆動線として水平共通電圧線ｘＶｃｏｍを共有し、刺激信号を用いて駆動領域を刺激するのに使用することができる。一部の実施形態では、互いに近い駆動領域は、受信したタッチ又は殆どタッチと干渉する可能性がある寄生キャパシタンスをもたらす線を最小にするために、駆動領域の間で線内に断続部２１２を有する垂直共通電圧線ｙＶｃｏｍを共有することができる。任意的にかつ代替的に、垂直電圧線の断続部が省かれ、それらの線を駆動領域の間でそれらの全体で共有することができる。
【００２０】
感知領域は、ピクセルの少なくとも１つの垂直共通電圧線ｙＶｃｏｍによって形成し、それによってピクセルの列を含む感知領域を形成することができる。感知プレート（例えば、ＩＴ０プレート）は、ピクセルを互いにグループ分けしてタッチモードのための駆動領域を形成するように、感知領域を覆ってクロス−アンダー水平共通電圧線に接続せずに垂直共通電圧線に接続するのに使用することができる。一般的に、感知領域は、タッチ感応性パネル上で受信したタッチ又は殆どタッチを有効に感知するためにピクセルの単一列よりも大きくすることができる。例えば、感知領域は、垂直共有電圧線ｙＶｃｏｍによって形成し、それによってピクセルのマトリックスを含む感知領域を形成することができる。一部の実施形態では、感知領域は、ディスプレイ上でタッチ又は殆どタッチに基づいてタッチ信号を伝達する垂直共有電圧線ｙＶｃｏｍを感知線として使用することができる。感知領域では、垂直共有電圧線ｙＶｃｏｍは、位置２１１で水平共通電圧線ｘＶｃｏｍから分離されてそれをクロスオーバーし、タッチ感知のために相互キャパシタンス構造を形成することができる。このｙＶｃｏｍとｘＶｃｏｍのクロスオーバーはまた、最小にすることができる感知及び駆動ＩＴ０間の付加的な寄生キャパシタンスを形成する可能性がある。
【００２１】
タッチモード時の作動では、水平共通電圧線ｘＶｃｏｍ２０１は、駆動領域２１０を刺激するために刺激信号を伝達し、刺激された駆動領域と隣接する感知領域２２０の間に電界を形成することができる。指のような物体が、刺激された駆動領域２１０にタッチ又は殆どタッチすると、隣接する感知領域２２０に延びる電界線の一部に影響を及ぼし、それによってこれらの隣接感知領域２２０に連結された電荷の量を低減することができる。この電荷の減少は、タッチの「画像」として感知領域２２０によって感知することができる。このタッチ画像は、更に別の処理のために垂直共有電圧線ｙＶｃｏｍ２０２に沿ってタッチ回路に伝達することができる。
【００２２】
図２の駆動領域は、ＬＣＤにわたって行で接続された矩形として示され、図２の感知領域は、ＬＣＤの垂直長さ方向に延びる矩形として示されている。しかし、駆動及び感知領域は、図示の形状、配向、及び位置に限定されず、様々な実施形態によるあらゆる適切な形状を含むことができる。タッチ領域を形成するのに使用されるピクセルが上述の形状に限定されるものではなく、様々な実施形態による表示及びタッチ機能を有するいずれか適切なピクセルとすることができることは理解されるものとする。
【００２３】
寄生キャパシタンスは、様々な実施形態によるＬＣＤの感知領域で成長する可能性がある。例えば、寄生キャパシタンスは、データ線と感知プレートの間又はデータ線とｘＶｃｏｍ線の間に形成される可能性がある。そのような寄生キャパシタンスは、タッチ回路作動と、特にＬＣＤ上でタッチ又は殆どタッチに基づいて発生したタッチ信号を有効に測定するタッチ回路の機能と干渉する可能性がある。図３〜７は、この効果と様々な実施形態によるタッチ回路作動に対する他の寄生キャパシタンスとを減衰させることができる例示的回路を示している。
【００２４】
図３は、ピクセルの１つ又はそれよりも多くのデータ線を様々な実施形態によりタッチモード中にピクセルの感知線と結合するように構成することができる表示モード及びタッチモードを有するＬＣＤ内の例示的ピクセルの部分回路図を示している。図３の例では、回路３００は、各ピクセルが、ｙＶｃｏｍ、及びそれぞれ、赤、緑、及び青データ線３１５、３１７、３１９とする感知線３０２を有する、感知領域３２０を有するピクセルを含むことができる。図３には１つだけのピクセルが示されているが、感知領域が様々な実施形態による感知線及び赤、緑、及び青データ線を有するピクセルを含むことができることは理解されるものとする。
【００２５】
タッチモードに対しては、感知線３０２は、感知線上で伝達されたタッチ信号に基づいてタッチ又は殆どタッチを感知するために、タッチ回路３６０に結合することができる。スイッチ３０２−ａは、感知線３０２をタッチ回路３６０に結合することができる。データ線３１５、３１７、３１９は、タッチ回路３６０上に１つの電気的負荷を形成し、それによってデータ線と感知プレート間に形成された寄生キャパシタンスを低減してタッチ回路の有害な作動を妨げるように、感知線３０２に結合することができる。データ線３１５、３１７、３１９は、互いに結合することができ、スイッチ３５０−ａは、タッチ又は殆どタッチを感知するために感知線３０２を通じてタッチ回路３６０にデータ線を結合することができる。
【００２６】
表示モードに対しては、データ線３１５、３１７、３１９は、データ線上で伝達された表示データ信号に基づいてグラフィック又はデータを表示するためにＬＣＤ回路３７０に結合することができる。データ線３１５、３１７、３１９は、互いに結合することができ、スイッチ３５０−ｂは、データ線をＬＣＤ回路３７０に結合することができ、ＬＣＤ回路は、次に、ＬＣＤ上にグラフィック又はデータを表示するためにデータ信号をデータ線に沿って伝達することができる。感知線３０２は、ＬＣＤ回路３７０に結合し、タッチに使用されていない時にｘＶｃｏｍ信号を保持することができる。スイッチ３０２−ｂは、感知線３０２をＬＣＤ回路３７０からのｘＶｃｏｍに結合することができる。
【００２７】
図４は、ピクセルの１つ又はそれよりも多くのデータ線を様々な実施形態によりタッチモード中にピクセルの感知線と互いに結合するように構成することができる表示モード及びタッチモードを有するＬＣＤ内の例示的ピクセルの別の部分回路図を示している。図４の例では、回路４００は、ｙＶｃｏｍとそれぞれ赤、緑、及び青データ線４１５、４１７、４１９とすることができる感知線４０２を各ピクセルが有する感知領域４２０を有するピクセルを含むことができる。図４には１つだけのピクセルが示されているが、感知領域が感知線及び様々な実施形態による赤、緑、及び青データ線を有するピクセルを含むことができることは理解されるものとする。
【００２８】
タッチモードに対しては、感知線４０２は、感知線上で伝達されたタッチ信号に基づいてタッチ又は殆どタッチを感知するためにタッチ回路４６０に結合することができる。スイッチ４０２−ａは、感知線４０２をタッチ回路４６０に結合することができる。データ線４１５、４１７、４１９は、タッチ回路４６０上に１つの電気的負荷を形成するように感知線４０２に結合し、それによってデータ線と感知プレートの間に形成される寄生キャパシタンスを低減し、タッチ回路の有害な作動を妨げることができる。スイッチ４１５−ａ、４１７−ａ、４１９−ａは、タッチ又は殆どタッチを感知するために、感知線４０２を通じて、それぞれ、データ線４１５、４１７、４１９をタッチ回路４６０に結合することができる。
【００２９】
表示モードに対しては、データ線４１５、４１７、４１９は、データ線上で伝達された表示データ信号に基づいてグラフィック又はデータを表示するためにＬＣＤ回路４７０に結合することができる。スイッチ４１５ｂ、４１７ｂ、４１９ｂの各々は、データ線４１５、４１７、４１９をＬＣＤ回路４７０に結合し、この回路は、次に、ＬＣＤ上にグラフィック又はデータを表示するためにデータ線に沿ってデータ信号を伝達することができる。感知線４０２は、タッチに使用されていない時にｘＶｃｏｍ信号を保持するようにＬＣＤ回路４７０に結合することができる。スイッチ４０２ｂは、感知線４０２をＬＣＤ回路４７０からのｘＶｃｏｍに結合することができる。
【００３０】
図５は、ピクセルの１つ又はそれよりも多くのデータ線を様々な実施形態によりタッチモード中にピクセルの感知線と結合するようになった表示モード及びタッチモードを有するＬＣＤ内の例示的ピクセルの別の部分回路図を示している。図５の例では、回路５００は、ｙＶｃｏｍ及びそれぞれ赤、緑、及び青データ線５１５、５１７、５１９とすることができる感知線５０２を各ピクセルが有する感知領域５２０を有するピクセルを含むことができる。図５には１つのピクセルだけが示されているが、感知領域は、感知線及び様々な実施形態による赤、緑、及び青データ線を有するピクセルを含むことができることは理解されるものとする。
【００３１】
タッチモードに対しては、感知線５０２は、感知線上で伝達されたタッチ信号に基づいてタッチ又は殆どタッチを感知するためにタッチ回路５６０に結合することができる。スイッチ５０２−ａは、感知線５０２をタッチ回路５６０に結合することができる。データ線５１５、５１７、５１９は、タッチ回路５６０上に電気的負荷を形成し、それによってデータ線と感知プレートの間に形成される寄生キャパシタンスを低減してタッチ回路の有害な作動を妨げるように感知線５０２に結合することができる。スイッチ５１５ａ、５１７ａ、５１９ａの各々は、データ線５１５、５１７、５１９を互いに結合することができ、スイッチ５８０ａは、タッチ又は殆どタッチを感知するために感知線５０２を通じてタッチ回路５６０にデータ線を結合することができる。
【００３２】
表示モードに対しては、データ線５１５、５１７、５１９は、データ線上で伝達された表示データ信号に基づいてグラフィック又はデータを表示するためにＬＣＤ回路５７０に結合することができる。スイッチ５１５ａ、５１７ｂ、５１９ａの各々は、データ線５１５、５１７、５１９を互いに結合することができ、スイッチ５８０ｂは、データ線をＬＣＤ回路５７０に結合することができ、この回路は、次に、ＬＣＤ上にグラフィック又はデータを表示するためにデータ信号をデータ線に沿って伝達することができる。感知線５０２は、タッチモードに使用されていない時にｘＶｃｏｍ信号を保持するようにＬＣＤ回路５７０に結合することができる。スイッチ５０２ｂは、感知線５０２をＬＣＤ回路５７０からのｘＶｃｏｍに結合することができる。
【００３３】
図６は、ピクセルの１つ又はそれよりも多くのデータ線を様々な実施形態によりタッチモード中に接地に結合するようになった表示モード及びタッチモードを有するＬＣＤ内の例示的ピクセルの部分回路図を示している。図６の例では、回路６００は、ピクセルがｙＶｃｏｍ及びそれぞれ赤、緑、及び青データ線６１５、６１７、６１９とすることができる感知線６０２を有する感知領域６２０を有するピクセルを含むことができる。図６には１つだけのピクセルが示されているが、感知領域が、感知線及び様々な実施形態による赤、緑、及び青データ線を有するピクセルを含むことができることは理解されるものとする。
【００３４】
タッチモードに対しては、感知線６０２は、感知線上で伝達されたタッチ信号に基づいてタッチ又は殆どタッチを感知するためにタッチ回路６６０を結合することができる。スイッチ６０２ａは、感知線６０２をタッチ回路６６０に結合することができる。データ線６１５、６１７、６１９は、感知領域６２０のデータ線とｘＶｃｏｍの間に形成される寄生キャパシタンスを低減するように接地に結合し、それによってタッチ回路上の有害な作動を低減することができる。スイッチ６１５ａ、６１７ａ、６１９ａの各々は、データ線６１５、６１７、６１９をＡＣ接地６８０に結合することができる。代替的に、データ線６１５、６１７、６１９は、ＤＣ電源に結合することができる。
【００３５】
表示モードに対しては、データ線６１５、６１７、６１９は、データ線上で伝達された表示データ信号に基づいてグラフィック又はデータを表示するためにＬＣＤ回路６７０に結合することができる。スイッチ６１５ｂ、６１７ｂ、６１９ｂの各々は、データ線６１５、６１７、６１９をＬＣＤ回路に結合し、この回路は、次に、グラフィック又はデータをＬＣＤ上に表示するためにデータ線に沿ってデータ信号を伝達することができる。感知線６２０は、タッチモードに使用されていない時にｘＶｃｏｍ信号を保持するようにＬＣＤ回路６７０に結合することができる。スイッチ６０２ｂは、感知線６０２をＬＣＤ回路６７０からのｘＶｃｏｍに結合することができる。
【００３６】
図７は、ピクセルの１つ又はそれよりも多くのデータ線を様々な実施形態によりタッチモード中に接地に結合するように構成することができる表示モード及びタッチモードを有するＬＣＤ内の例示的ピクセルの別の部分回路図を示している。図７の例では、回路７００は、ピクセルがｙＶｃｏｍ及びそれぞれ赤、緑、及び青データ線７１５、７１７、７１９とすることができる感知線７０２を有する感知領域７２０を有するピクセルを含むことができる。図７では１つだけのピクセルが示されているが、感知領域が、感知線及び様々な実施形態による赤、緑、及び青データ線を有するピクセルを含むことができることは理解されるものとする。
【００３７】
タッチモードに対しては、感知線７０２は、感知線上で伝達されたタッチ信号に基づいてタッチ又は殆どタッチを感知するためにタッチ回路７６０に結合することができる。スイッチ７０２ａは、感知線７０２をタッチ回路７６０に結合することができる。データ線７１５、７１７、７１９は、データ線と感知領域７２０上のｘＶｃｏｍとの間で形成された寄生キャパシタンスを低減するように接地に結合し、それによってタッチ回路上の悪影響を低減することができる。代替的に、データ線７１５、７１７、７１９は、ＤＣ電源に結合することができる。
【００３８】
表示モードに対しては、データ線７１５、７１７、７１９は、データ線上で伝達された表示データ信号に基づいてグラフィック又はデータを表示するためにＬＣＤ回路７７０に結合することができる。スイッチ７１５ａ、７１７ａ、７１９ａの各々は、データ線７１５、７１７、７１９を互いに結合することができ、スイッチ７７５ｂは、データ線をＬＣＤ回路７７０に結合することができ、この回路７７０は、次に、ＬＣＤ回路上にグラフィック又はデータを表示するためにデータ線に沿ってデータ信号を伝達することができる。感知線７０２は、タッチに使用されていない時にｘＶｃｏｍ信号を保持するようにＬＣＤ回路７７０に結合することができる。スイッチ７０２ｂは、感知線７０２をＬＣＤ回路７７０からのｘＶｃｏｍに結合することができる。
【００３９】
寄生キャパシタンスを処理するための回路が図３〜７に示すものに限定されるものではなく、様々な実施形態により寄生キャパシタンスを処理することができる他の又は付加的な要素を含むことができることは理解されるものとする。図３〜７は別々のタッチ及びＬＣＤ回路を示しているが、この回路又はその一部分は、単一の特定用途向けＩＣ（ＡＳＩＣ）に組み合わせることができる。
一部の実施形態では、一部のデータ線は、感知線に結合し、一部は、タッチモード中に接地に結合することができる。例えば、他の全てのデータ線は、感知線に結合し、残りは、タッチモード中に接地に結合することができる。ＬＣＤの必要性次第で他の構成も実現可能である。
【００４０】
図８は、様々な実施形態により表示モード及びタッチモードを有するＬＣＤの１つ又はそれよりも多くのデータ線をタッチモード中にＬＣＤの感知線に結合するように構成する例示的方法を示している。本方法は、例えば、図３〜５の回路上で実行することができる。図８の例では、表示モード又はタッチモードのいずれのモードで実行するかを示す入力信号を受信する（８０５、８１０）ことができる。
【００４１】
入力信号が表示モードのためであると判断された場合、ＬＣＤの感知領域内のデータ線は、データ信号を受信するためにＬＣＤ回路に結合するように切り換える（８１５）ことができる。結合された状態で、ＬＣＤ回路は、ＬＣＤ上にグラフィック又はデータを表示するためにデータ線に沿ってデータ信号を伝達する（８２０）ことができる。ＬＣＤの感知領域内の感知線は、任意的に、共通電圧を保持するためにＬＣＤ回路に結合するように切り換えることができる。
【００４２】
入力信号がタッチモードのためであると判断された場合、ＬＣＤの感知領域内のデータ線は、感知領域内の対応する感知線を通じてタッチ回路に結合するように切り換える（８２５）ことができる。換言すれば、データ線は、タッチ回路に結合する感知線に結合することができる。タッチ信号は、ＬＣＤ上のタッチ又は殆どタッチを示すために感知線に沿って伝達することができる。データ線上のいずれの残りのデータ信号も、タッチ信号と結合する（８３０）ことができる。結合された信号は、ＬＣＤ上のタッチを感知するためのタッチ回路に伝達する（８３５）ことができる。
【００４３】
図９は、表示モード及びタッチモードを有するＬＣＤの１つ又はそれよりも多くのデータ線を様々な実施形態によりタッチモード中に接地に結合するように構成する別の例示的方法を示している。本方法は、例えば、図６及び７の回路によって実行することができる。図９の例では、表示モード又はタッチモードのいずれのモードで実行するかを示す入力信号を受信する（９０５、９１０）ことができる。
入力信号が表示モードのためであると判断された場合、ＬＣＤの感知領域内のデータ線は、ＬＣＤ回路に結合するように切り換える（９１５）ことができる。ＬＣＤ回路は、ＬＣＤ上で表示するためにデータ線に沿ってデータ信号を伝達する（９２０）ことができる。感知領域内の感知線は、任意的に、共通電圧を保持するためにＬＣＤ回路に結合することができる。
【００４４】
入力信号がタッチモードのためであると判断された場合、感知領域内のデータ線は、ＡＣ接地に切り換える（９２５）ことができる。データ線上のいずれの残りのデータ信号も、ＡＣ接地に切り換える（９３０）ことができる。対応する感知線は、タッチ回路に結合することができる。タッチ信号は、ＬＣＤ上のタッチを感知するために感知線に沿ってタッチ回路に伝達（９３５）される。
表示モード及びタッチモードを有するＬＣＤを構成する方法が図８及び９の方法に限定されるものではなく、様々な実施形態によって実施可能な付加的な又は他の方法を含むことができることは理解されるものとする。
【００４５】
図１０は、本明細書で説明する１つ又はそれよりも多くの様々な実施形態を含むことができる例示的コンピュータシステムを示している。図１０の例では、コンピュータシステム１０００は、１つ又はそれよりも多くのパネルプロセッサ１００２及び周辺機器１００４、及びパネルサブシステム１００６を含むことができる。周辺機器１００４は、以下に限定されるものではないが、ランダムアクセスメモリ（ＲＡＭ）又は他の形式のメモリ又はストレージ、及びウオッチドッグタイマなどを含むことができる。パネルサブシステム１００６は、以下に限定されるものではないが、１つ又はそれよりも多くの感知チャンネル１００８、チャンネル走査論理（アナログ又はデジタル）１０１０、及び駆動論理（アナログ又はデジタル）１０１４を含むことができる。チャンネル走査論理１０１０は、ＲＡＭ１０１２にアクセスし、感知チャンネル１００８から自主的にデータを読み取って感知チャンネルに対して制御信号１０１７を供給することができる。更に、チャンネル走査論理１０１０は、駆動論理１０１４を制御し、タッチ画面１０２４の駆動領域に同時に印加される刺激信号１０１６を様々な段階で発生させることができる。パネルサブシステム１００６は、低いデジタル論理電圧レベル（例えば、１．７から３．３Ｖ）で作動させることができる。駆動論理１０１４は、コンデンサのような２つの電荷ストレージを互いにカスケードして電荷ポンプ１０１５を形成することにより、デジタル論理レベル供給電圧よりも大きな供給電圧を発生させることができる。電荷ポンプ１０１５は、デジタル論理レベル供給電圧（例えば、３．４から６．６Ｖ）の約２倍のマグニチュードを有する刺激信号１０１６を発生させるために使用することができる。図１０は、駆動論理１０１４から分離した電荷ポンプ１０１５を示しているが、電荷ポンプは、駆動論理の一部とすることができる。一部の実施形態では、パネルサブシステム１００６、パネルプロセッサ１００２、及び周辺機器１００４は、単一の特定用途向け集積回路（ＡＳＩＣ）に一体化することができる。
【００４６】
タッチ画面１０２４は、様々な実施形態による駆動領域１０２７及び感知領域１０２９を有する容量性感知媒体を含むことができる。各駆動領域１０２７及び感知領域１０２９は、容量性要素を含むことができ、これは、ピクセル１０２６と見なすことができ、タッチ画面１０２４がタッチの「画像」を捕捉するように見られる時に特に有用とすることができる。（換言すれば、タッチ画面内の各タッチセンサの位置でタッチイベントが検出されたか否かをパネルサブシステム１００６が判断した後に、タッチイベントが発生したマルチタッチ画面内のタッチセンサのパターン（例えば、画面をタッチしている指のパターン）をタッチの画像として見なすことができる。）タッチ画面上又はその付近の指又は他の物体の存在は、信号キャパシタンスの関数であり、タッチされているピクセルの位置に存在する信号電荷に対する変化を測定することによって検出することができる。タッチ画面の各感知領域は、パネルサブシステム１００６内の感知チャンネル１００８を駆動することができる。
【００４７】
コンピュータシステム１０００はまた、パネルプロセッサ１００２から出力を受信し、以下に限定されるものではないが、カーソル又はポインタのような１つ又はそれよりも多くの物体を移動させる段階、スクロール又はパンする段階、制御設定を調節する段階、ファイル又は文書を開く段階、メニューを見る段階、選択を行う段階、命令を実行する段階、ホスト装置に結合された周辺機器を開く段階、電話に応える段階、電話を掛ける段階、電話を終わらせる段階、オーディオ設定の音量を変える段階、アドレス、頻繁にダイヤルした番号、受信した電話、不在着信電話のような電話通信に関連する情報を格納する段階、コンピュータ又はコンピュータネットワークにログインする段階、認可された個人にコンピュータ又はコンピュータネットワークの制限された範囲に対するアクセスを承認する段階、コンピュータデスクトップのユーザの好みの構成に関連するユーザプロフィールをロードする段階、ウェブコンテンツにアクセスするのを許可する段階、特定プログラムを起動する段階、及び／又はメッセージを暗号化又は復号する段階などを含む出力に基づくアクションを実施するためのホストプロセッサ１０２８を含むことができる。ホストプロセッサ１０２８はまた、パネル処理に関連しない場合がある追加機能を実行することができ、かつプログラムストレージ１０３２と装置のユーザにユーザインタフェースを提供するＬＣＤのようなタッチ画面１０２４とに結合することができる。
【００４８】
上述の機能の１つ又はそれよりも多くは、メモリ（例えば、図１０の周辺機器１００４の１つ）に記憶されたファームウエアによって実施されてパネルプロセッサ１００２によって実行され、又はプログラムストレージ１０３２に記憶されてホストプロセッサ１０２８によって実行されることに注意されたい。ファームウエアはまた、コンピュータベースのシステム、プロセッサ含有システム、又は命令実行システム、器具、又は装置から命令をフェッチしてその命令を実行する他のシステムのような命令実行システム、器具、又は装置によって又はそれらと接続して使用するためのあらゆるコンピュータ可読媒体内に記憶及び／又はトランスポートすることができる。本明細書の関連では、コンピュータ可読媒体は、プログラムを収容又は記憶することができる命令実行システム、器具、又は装置によって又はそれらと接続して使用するためのあらゆる媒体とすることができる。コンピュータ可読媒体は、以下に限定されるものではないが、電子式、磁気式、光学式、光磁気式、赤外線式、又は半導体式システム、器具、又は装置、持ち運び式コンピュータディスケット（磁気式）、ランダムアクセスメモリ（ＲＡＭ）（磁気式）、読取専用メモリ（Ｒ０Ｍ）（磁気式）、消去可能書込可能Ｒ０Ｍ（ＥＰＲ０Ｍ）（磁気式）、ＣＤ、ＣＤ−Ｒ、ＣＤ−ＲＷ、ＤＶＤ、ＤＶＤ−Ｒ、ＤＶＤ−ＲＷのような持ち運び式光ディスク、又はコンパクトフラッシュ（登録商標）カード、セキュアデジタルカード、ＵＳＢメモリ装置、メモリスチックのようなフラッシュメモリなどを含むことができる。
【００４９】
ファームウエアはまた、コンピュータベースのシステム、プロセッサ含有システム、又は命令実行システム、器具、及び装置から命令をフェッチしてその命令を実行することができる他のシステムのような命令実行システム、器具、及び装置によって又はそれらと接続して使用するためのあらゆるトランスポート媒体内で伝播させることができる。本明細書の関連では、「トランスポート媒体」は、命令実行システム、器具、又は装置によって又はそれらに接続して使用するためのプログラムを通信、伝播、又はトランスポートするあらゆる媒体とすることができる。トランスポート可読媒体は、以下に限定されるものではないが、電子式、磁気式、光学式、電磁気式、又は赤外線式の有線又は無線伝播媒体を含むことができる。
タッチ画面は、図１０で上述のようなタッチに限定されず、近接画面又は様々な実施形態により表示モード及びタッチモードの間で切り換えられるいずれか他の画面とすることができることは理解されるものとする。更に、本明細書で説明するタッチセンサパネルは、単一タッチ式又はマルチタッチ式センサパネルとすることができる。
【００５０】
図１１ａは、タッチ画面１１２４と、携帯電話機のタッチモード中にタッチ画面のデータ線を構成するように利用することができる他のコンピュータシステムブロックとを含む例示的携帯電話機１１３６を示している。
図１１ｂは、タッチ画面１１２４と、メディアプレーヤのタッチモード中にタッチ画面のデータ線を構成するように利用することができる他のコンピュータシステムブロックとを含む例示的デジタルメディアプレーヤ１１４０を示している。
図１１ｃは、タッチ画面１１２４、タッチセンサパネル（トラックパッド）１１２６、及びパーソナルコンピュータのタッチモード中にタッチ画面のデータ線を構成するように利用することができる他のコンピュータシステムブロックを含む例示的パーソナルコンピュータ１１４４を示している。
【００５１】
１１ａ、１１ｂ、及び１１ｃの携帯電話機、メディアプレーヤ、及びパーソナルコンピュータは、様々な実施形態により設定可能な表示モード及びタッチモードを有するＬＣＤを用いて経費及び電力を節約することができる。
様々な実施形態を添付図面を参照して十分に説明したが、様々な変更及び修正が当業者には明らかになることに注意されたい。そのような変更及び修正は、特許請求の範囲に規定されるような様々な実施形態の範囲に含まれることは理解されるものとする。
【符号の説明】
【００５２】
１００  ＬＣＤ
１０１，１０２，１０３，１０４  サブピクセル
１５５ａ  ゲート
１５５ｂ  ソース
１５５ｃ  ドレーン
【図１】
2010186182.tif 000003
【図２】
2010186182.tif 000004
【図３】
2010186182.tif 000005
【図４】
2010186182.tif 000006
【図５】
2010186182.tif 000007
【図６】
2010186182.tif 000008
【図７】
2010186182.tif 000009
【図８】
2010186182.tif 000010
【図９】
2010186182.tif 000011
【図１０】
2010186182.tif 000012
【図１１ａ】
2010186182.tif 000013
【図１１ｂ】
2010186182.tif 000014
【図１１ｃ】
2010186182.tif 000015
【外国語明細書】
2010186182.tif 000016
2010186182.tif 000017
2010186182.tif 000018
2010186182.tif 000019
2010186182.tif 000020
2010186182.tif 000021
2010186182.tif 000022
2010186182.tif 000023
2010186182.tif 000024
2010186182.tif 000025
2010186182.tif 000026
2010186182.tif 000027
2010186182.tif 000028
2010186182.tif 000029
2010186182.tif 000030
2010186182.tif 000031
2010186182.tif 000032
2010186182.tif 000033
2010186182.tif 000034
2010186182.tif 000035
2010186182.tif 000036
2010186182.tif 000037
2010186182.tif 000038
2010186182.tif 000039
2010186182.tif 000040
2010186182.tif 000041
2010186182.tif 000042
2010186182.tif 000043
2010186182.tif 000044
2010186182.tif 000045
2010186182.tif 000046
2010186182.tif 000047
2010186182.tif 000048
2010186182.tif 000049